(57)【要約】  【課題】  第三者が形成する外観印象の向上のために、肌の分光反射スペクトルにおける、５００〜６００ｎｍにおける窪み部分の状態の因子を補完する第二の因子を明らかにする。  【解決手段】  明度を因子に加え、肌の色の鑑別法であって、予め複数のパネラーを用い、肌の分光反射スペクトルと明度とを測定し、肌の分光反射スペクトルにおける、５００〜６００ｎｍにおける窪み部分の窪み面積を計測し、該窪み面積と明度との回帰式を求めておき、鑑別すべき肌の前記窪み面積と明度によって規定される座標と前記回帰式との乖離度合いを算出し、該乖離度合いが大きいほど、第三者印象における好ましい肌の色からの乖離が大きいと鑑別する。  【選択図】  なし【特許請求の範囲】
【請求項１】
肌の色の鑑別法であって、予め複数のパネラーを用い、肌の分光反射スペクトルと明度とを測定し、肌の分光反射スペクトルにおける、５００〜６００ｎｍにおける窪み部分の窪み面積を計測し、該窪み面積と明度との回帰式を求めておき、鑑別すべき肌の前記窪み面積と明度によって規定される座標と前記回帰式との乖離度合いを算出し、該乖離度合いが大きいほど、第三者印象における好ましい肌の色からの乖離が大きいと鑑別することを特徴とする、肌の色の鑑別法。
【請求項２】
前記肌の分光反射スペクトルにおける窪み面積が、分光反射スペクトルにおける５００ｎｍの点と６００ｎｍの点を結ぶ直線と肌の分光反射スペクトルとで囲まれる部分の面積として定義されることを特徴とする、請求項１に記載の肌の色の鑑別法。
【請求項３】
明度が色彩色差計におけるＬ＊の値で定義されることを特徴とする、請求項１又は２に記載の肌の色の鑑別法。
【請求項４】
鑑別すべき肌の、肌の分光反射スペクトルと明度（Ｌ１）とを測定し、肌の分光反射スペクトルより実測の５００〜６００ｎｍにおける窪み部分の窪み面積（ＡＤａ）を求め、予め求められている回帰式にＬ１の値を代入し求めた回帰式における窪み面積（ＡＤｓ）との比（ＡＤａ／ＡＤｓ）を求め、この値が１〜１．２の範囲である場合には、第三者印象における好ましい肌の色であると鑑別することを特徴とする、請求項１〜３何れか１項に記載の肌の色の鑑別法。
【請求項５】
肌の色がメークアップ化粧後の肌の色であることを特徴とする、請求項１〜４何れか１項に記載の肌の色の鑑別法。
【請求項６】
請求項１〜５何れか１項に記載の鑑別法に従って、素肌の（ＡＤａ／ＡＤｓ）と、化粧後の肌の（ＡＤａ／ＡＤｓ）の値とを求めて比較し、化粧後の肌の（ＡＤａ／ＡＤｓ）の値の方が１〜１．２の範囲により近付いた場合に、より好ましい化粧料であると判定することを特徴とする、化粧料の選択における、請求項１〜５何れか１項に記載の肌の色の鑑別法の利用。
【請求項７】
更に、Ｌ＊値が化粧後に低下していない場合により好ましいと判定することを特徴とする、化粧料の選択における、請求項１〜５何れか１項に記載の肌の色の鑑別法の利用。
【発明の詳細な説明】
【技術分野】
【０００１】
本発明は、肌の色の鑑別法に関し、更に詳細には化粧料の選択において好適な指標となる肌の色の鑑別法に関する。
【背景技術】
【０００２】
人の外観印象、とりわけ顔の外観印象は、その人を他人が認識する上で大きな影響を与えるものであり、この為良い印象を作ってもらうための努力が種々なされていると言える。その様な努力の一つに化粧行為がある。しかしながら、化粧行為が思うように効果を奏さないことは、化粧類分類の特許出願が非常に多いこと、特に、メークアップ化粧料或いはその素材に関する特許出願が非常に多いことを見れば容易に合点が行く。この大きな原因の一つは、人の皮膚が持っている光学効果と、メークアップ化粧料など、化粧料の持っている光学効果の間に埋めきれない断層が存することであると思われる。これまで、メークアップ化粧料はカバー力や色味と言った評価要素で規定されてきたが、この２つの要素では不充分であることが近年明らかになり、半透明拡散層の効果、色味の多重性等が重要な効果の一つであることが明らかにされてきている。その中の一つに肌の分光反射スペクトルにおける５００〜６００ｎｍの特徴が存する。即ち、人の肌の分光反射率曲線では、５００〜６００ｎｍにかけてスペクトルの窪みが観察される。この「窪み」とは、長波長側に向かって反射率が上昇していく分光反射曲線において、反射率が急激に低下する領域を指している。（例えば、特許文献１を参照）このスペクトルの窪みは、５４０ｎｍと５７８ｎｍに顕著な光の吸収域を持つ血液によって生じることが知られている。人種別に肌の分光反射率を測定したＥｄｗａｒｄｓとＤｕｎｔｌｙは、白色人種ほど窪みが顕著であったことを報告している（例えば、非特許文献１を参照）。またＢｕｃｋとＦｌｏｅｌｉｃｈは、肌の分光反射特性における人種差、男女差、季節差、年齢差などを報告している（例えば、非特許文献２を参照）。一方、照明業界では、被照射体の色を鮮やかに美しく見せる電球として、５８０ｎｍ近辺の光だけを除いたものが開発されている。又、化粧料に於いては有機の赤色の色素を利用して、この様な分光反射スペクトル上の窪みを化粧料によって形成せしめる試みも為されている。（例えば、特許文献２を参照）しかしながら、この様な手段により、従来に比べれば、第三者の外観印象を向上せしめる化粧技術は開発されたが、充分に満足できるわけではなかった。即ち、この様な窪みを有する分光反射スペクトルの特性を持つ肌色であっても、印象があまり好ましくない例も存することを本発明者らは見出している。即ち、分光反射スペクトルの窪み部だけでは語れない、別因子の存在を暗示するものであった。
【０００３】
一方、この様な肌の色の光学効果の検討において、肌の色の鑑別法であって、予め複数のパネラーを用い、肌の分光反射スペクトルと明度とを測定し、肌の分光反射スペクトルにおける、５００〜６００ｎｍにおける窪み部分の窪み面積を計測し、該窪み面積と明度との回帰式を求めておき、鑑別すべき肌の前記窪み面積と明度によって規定される座標と前記回帰式との乖離度合いを算出し、該乖離度合いが大きいほど、第三者印象における好ましい肌の色からの乖離が大きいと鑑別することを特徴とする、肌の色の鑑別法は全く知られていなかった。
【０００４】
【特許文献１】特開平１０−１７４３７号公報
【特許文献２】特開平１０−１０１５３０号公報
【非特許文献１】E.A.Edwards ＆ S.Q.Duntly, "The Pigments and Color of Living Human Skin", Am. J. Anat., 65(1), (1939)
【非特許文献２】G.B.Buck ＆ H.C.Floelich, "Color Characterristics of Human Complexions", Ill.Eng. 43, (1948)
【発明の開示】
【発明が解決しようとする課題】
【０００５】
本発明は、この様な状況下為されたものであり、第三者が形成する外観印象の向上のために、肌の分光反射スペクトルにおける、５００〜６００ｎｍにおける窪み部分の状態の因子を補完する第二の因子を明らかにすることを課題とする。
【課題を解決するための手段】
【０００６】
この様な状況に鑑みて、本発明者らは、第三者が形成する外観印象の向上のために、肌の分光反射スペクトルにおける、５００〜６００ｎｍにおける窪み部分の状態の因子を補完する第二の因子を求めて、鋭意研究努力を重ねた結果、この様な因子として、窪み具合に適した明度値を設定することがあることを見出し、発明を完成させるに至った。即ち、本発明は、以下に示すとおりである。
（１）肌の色の鑑別法であって、予め複数のパネラーを用い、肌の分光反射スペクトルと明度とを測定し、肌の分光反射スペクトルにおける、５００〜６００ｎｍにおける窪み部分の窪み面積を計測し、該窪み面積と明度との回帰式を求めておき、鑑別すべき肌の前記窪み面積と明度によって規定される座標と前記回帰式との乖離度合いを算出し、該乖離度合いが大きいほど、第三者印象における好ましい肌の色からの乖離が大きいと鑑別することを特徴とする、肌の色の鑑別法。
（２）前記肌の分光反射スペクトルにおける窪み面積が、分光反射スペクトルにおける５００ｎｍの点と６００ｎｍの点を結ぶ直線と肌の分光反射スペクトルとで囲まれる部分の面積として定義されることを特徴とする、（１）に記載の肌の色の鑑別法。
（３）明度が色彩色差計におけるＬ＊の値で定義されることを特徴とする、（１）又は（２）に記載の肌の色の鑑別法。
（４）鑑別すべき肌の、肌の分光反射スペクトルと明度（Ｌ１）とを測定し、肌の分光反射スペクトルより実測の５００〜６００ｎｍにおける窪み部分の窪み面積（ＡＤａ）を求め、予め求められている回帰式にＬ１の値を代入し求めた回帰式における窪み面積（ＡＤｓ）との比（ＡＤａ／ＡＤｓ）を求め、この値が１〜１．２の範囲である場合には、第三者印象における好ましい肌の色であると鑑別することを特徴とする、（１）〜（３）何れか１項に記載の肌の色の鑑別法。
（５）肌の色がメークアップ化粧後の肌の色であることを特徴とする、（１）〜（４）何れか１項に記載の肌の色の鑑別法。
（６）（１）〜（５）何れか１項に記載の鑑別法に従って、素肌の（ＡＤａ／ＡＤｓ）と、化粧後の肌の（ＡＤａ／ＡＤｓ）の値とを求めて比較し、化粧後の肌の（ＡＤａ／ＡＤｓ）の値の方が１〜１．２の範囲により近付いた場合に、より好ましい化粧料であると判定することを特徴とする、化粧料の選択における、（１）〜（５）何れか１項に記載の肌の色の鑑別法の利用。
（７）更に、Ｌ＊値が化粧後に低下していない場合により好ましいと判定することを特徴とする、化粧料の選択における、（１）〜（５）何れか１項に記載の肌の色の鑑別法の利用。
【発明の効果】
【０００７】
本発明によれば、第三者が形成する外観印象の向上のために、肌の分光反射スペクトルにおける、５００〜６００ｎｍにおける窪み部分の状態の因子を補完する第二の因子を明らかにすることができる。
【発明を実施するための最良の形態】
【０００８】
本発明の肌の色の鑑別法は、肌の色の鑑別法であって、予め複数のパネラーを用い、肌の分光反射スペクトルと明度とを測定し、肌の分光反射スペクトルにおける、５００〜６００ｎｍにおける窪み部分の窪み面積を計測し、該窪み面積と明度との回帰式を求めておき、鑑別すべき肌の前記窪み面積と明度によって規定される座標と前記回帰式との乖離度合いを算出し、該乖離度合いが大きいほど、第三者印象における好ましい肌の色からの乖離が大きいと鑑別することを特徴とする。
【０００９】
予め複数のパネラーを用いて回帰式を作成するにあたって、該回帰式は正常値の指標となるので、選抜するパネラーは、母集団を代表する平均的なパネラーを揃えることも出来るが、第三者印象の好ましい人を選抜することが好ましい。この為には、美容師など、顔印象に接する機会の多い人を面談者として、面談にて予備の選抜を行うことが好ましい。斯くして選抜されたパネラーは、その属性に偏りがないこと確認した上で、肌の分光反射スペクトルを測定する。かかる測定には、通常市販されている分光反射光度計を使用することが出来る。又、同時に補完因子となる明度も算出しておくことが好ましい。明度は、マンセル表色系における明度を使用することも出来るが、Ｌ＊ａ＊ｂ＊表色系におけるＬ＊を用いることが簡便で好ましい。この値は分光反射スペクトルの測定値より算出できる。
【００１０】
斯くして得られた分光反射スペクトルより、窪み部の面積を計測するが、窪み部としては、分光反射スペクトルの微分値より、５００ｎｍ付近と、６００ｎｍ付近の変曲点を求め、この２つの変曲点を結ぶ直線を描き、分光反射スペクトルと変曲点を結ぶ直線でかっ込まれる部分の面積を計測し、窪み部の面積とすることが原則であり、この様に測定することも出来るが、簡易的に、分光反射スペクトルにおける５００ｎｍの点と６００ｎｍの点を結ぶ直線と肌の分光反射スペクトルとで囲まれる部分の面積を求めて使用することが出来、この方が簡便で好ましい。即ち、この方法では次に示す式（１）で算出できる。（図１を参照）
【００１１】
【数１】
2007078562.tif 000002
式（１）
（式中、Rは反射率％、R500は500nmにおける反射率％、R600は600nmにおける反射率％を表す。）
【００１２】
パネラーの例数を２０〜３０人使用して、ＡＤの値と、明度値（Ｌ＊）とを計測し、回帰分析を行い一次回帰式を作成する。充分な例数であれば、この時、相関係数の絶対値が０．７以上で回帰式が得られる。相関係数の絶対値が０．７以上であれば、回帰式はそのまま本発明の鑑別法に使用することが出来る。相関係数の絶対値が０．７未満の場合には、例数を増やし、相関係数を０．７以上になるように調整し、補正することが好ましい。
【００１３】
前記の如くに用意された一次回帰式を利用して本発明の鑑別法は為される。即ち、鑑別されるべき被験者の肌の分光反射スペクトル前述の如く測定し、式（１）を用いて、被験者のＡＤ値、即ち、ＡＤａ値を得る。明度Ｌ＊ａ値を前記一次回帰式に代入し、一次回帰式におけるＬ＊ａ値に対応したＡＤ値、即ちＡＤｓ値を算出する。（ＡＤａ／ＡＤｓ）を求め、この値が１〜１．２の範囲である場合には、第三者印象における好ましい肌の色であると鑑別する。即ち、回帰式を下回らず、回帰式より乖離しないことが好ましい。
【００１４】
かかる肌の色の鑑別は、素肌に適用し、その素肌の色が好ましい第三者印象を形成するか否かを鑑別することに用いることも出来るし、素肌の（ＡＤａ／ＡＤｓ）を求め、しかる後に化粧を行い、化粧した肌での（ＡＤａ／ＡＤｓ）を求め、化粧をすることにより、（ＡＤａ／ＡＤｓ）の値が、１〜１．２の好ましい第三者印象を形成する域に到達したか、乃至は、近づいたときには、その化粧に用いた化粧料は適切であったと判断し、離れたときには適切でなかったと判断し、化粧料の選択に利用することも出来る。又、これを利用してより多くの人に適切であると判断される蓋然性の高い化粧料は優れた化粧料であると判断する、化粧料の評価にも利用できる。化粧料の評価値の変化を利用すれば、化粧料原料の評価にも利用することが出来る。
【００１５】
以下に、実施例を挙げて、本発明について更に詳細に説明を加えるが、本発明がかかる実施例にのみに限定されないことは言うまでもない。
【実施例１】
【００１６】
予め、専門家３人が第三者の印象が好ましい肌であると判定した、２５〜６０歳の女性１０名、男性１５名について、前腕、額、頬３箇所における分光反射率を測定した。分光反射率は、分光輝度計（ＭＣＰＤ−７０００、大塚電子社製）を用い、７０ｃｍの距離から測定を行った。同時にＬ＊値も分光反射スペクトルより算出した。これらの結果を回帰分析し、一次回帰式ＡＤｓ＝９Ｌ＊−１８０を得た。相関係数は、０．７５であった。この値の絶対値は０．７以上であり、良好な相関関係が存すると言える。（図２を参照）
【実施例２】
【００１７】
被験者Ａについて、実施例１の手技に従って、ＡＤａ値、Ｌ＊値を求めた。ＡＤａ値は４１４．２であり、Ｌ＊は６７．５であった。ＡＤｓ＝４２７．５であり、（ＡＤａ／ＡＤｓ）は０．９７だった。別途専門家３人が判定した第三者印象は「好ましい」であり、鑑別法が適切であることが判った。
【実施例３】
【００１８】
ラバードールを用いて、照射する光源の光線成分を変え、実施例１、２と同様に分光反射スペクトルとＬ＊値を求め、（ＡＤａ／ＡＤｓ）を算出した。結果を図３に示す。この値が１〜１．２の時が特に好ましい印象を形成することが判る。尚、図中では（ＡＤａ／ＡＤｓ）の値は％表示であるため、１００で除した値が本発明で用いる比となる。
【産業上の利用可能性】
【００１９】
本発明は、化粧料の選択などに応用できる。
【図面の簡単な説明】
【００２０】
【図１】分光反射スペクトルを示す図である。
【図２】実施例１の散布図を示す図である。
【図３】実施例３の結果を示す図である。
【図１】
2007078562.tif 000003
【図２】
2007078562.tif 000004
【図３】
2007078562.tif 000005